(57)【要約】【課題】  表示手段を表札として使用した場合、表札表示機能以外に他の機能を持たせることで扉周りのシステム構成を簡素化することができる表札表示装置を提供する。【解決手段】  室外モニタ１は、表示画面３に表札を表示する表札機能を備えている。また、室外モニタ１はこの表札機能以外に、インターホン機能、メッセージ収録機能、暗証番号入力機能、来訪者録画機能及び録画映像再生機能を備えている。例えば、インターホン機能について説明すると、室外モニタ１はタッチパネル式であり、そのタッチパネル操作により呼出スイッチが押されてそれに住人が応答した場合には、インターホン機能が作動し、室外モニタ１と室内モニタ１０とで通話が可能になる。【選択図】      図２
2006121442.tif 000002
【特許請求の範囲】
【請求項１】
住宅の屋外に設置された表示手段と、記憶手段に格納した表示データに基づき前記表示手段に表札を表示させる表示制御手段とを備えた表札表示装置において、
屋内の住人と屋外の来訪者との間の連絡通話設備であるインターホンと、前記インターホンを動作させ得る操作が行われた際に、前記表示手段の画面を前記表札から切り換え、前記インターホンを作動状態にして該インターホンによる通話を実行可能な状態とする制御手段とを備えたことを特徴とする表札表示装置。
【請求項２】
住宅の屋外に設置された表示手段と、記憶手段に格納した表示データに基づき前記表示手段に表札を表示させる表示制御手段とを備えた表札表示装置において、
録音及び録画の少なくとも一方を実行可能な収録機構と、前記収録機構によりメッセージを入力する操作が行われた際に、前記表示手段の画面を前記表札から切り換え、前記収録機構を作動状態にして操作者のメッセージを収録する制御手段とを備えたことを特徴とする表札表示装置。
【請求項３】
住宅の屋外に設置された表示手段と、記憶手段に格納した表示データに基づき前記表示手段に表札を表示させる表示制御手段とを備えた表札表示装置において、
録音及び録画の少なくとも一方を実行可能な収録機構と、前記表示手段の画面を前記表札から他の画面に変えるべく最初の選択操作が行われた時点から、前記収録機構を作動状態にして操作者を監視する制御手段とを備えたことを特徴とする表札表示装置。
【請求項４】
住宅の屋外に設置された表示手段と、記憶手段に格納した表示データに基づき前記表示手段に表札を表示させる表示制御手段とを備えた表札表示装置において、
前記表札に代えて前記表示手段の画面に表示された暗証番号入力画面に暗証番号が入力された際、その暗証番号の認証を行う認証手段と、前記暗証番号が正しいと前記認証手段が判断した際に、前記住宅に設置された機器の動作を許可又は開始する制御手段とを備えたことを特徴とする表札表示装置。
【請求項５】
住宅の屋外に設置された表示手段と、記憶手段に格納した表示データに基づき前記表示手段に表札を表示させる表示制御手段とを備えた表札表示装置において、
住宅への第三者の不正侵入を検出する検出手段と、前記住宅の扉を施解錠する電気錠と、住人が所有する電子キーとの間で無線通信による識別照合を行い、前記電子キーの識別コードが住宅側と一致すれば前記電気錠による施解錠を許可又は開始する照合手段と、前記検出手段の検出信号に基づき不正侵入の有無を判断する判断手段と、前記判断手段が不正侵入有りと判断した際に不正侵入の現場を撮影する撮影手段とを備え、
前記表示制御手段は、前記照合手段による識別照合が成立した際に、前記判断手段が不正侵入有りと判断していれば、前記撮影手段で撮影した不正侵入の映像を、前記表札に代えて前記表示手段で放映することを特徴とする表札表示装置。
【発明の詳細な説明】
【技術分野】
【０００１】
本発明は、表示手段の画面に表札を表示する機能以外に、表示手段が他の機能と連動した多機能の表札表示装置に関する。
【背景技術】
【０００２】
従来、表札の名前を変更する場合であっても表札自体を作り変える必要のないように、ＬＣＤ等のモニタを表札として使用する技術が例えば特許文献１に開示されている。また、同文献１のモニタは、表札としてのみ機能するだけでなく、不意の訪問者やセールスマン等にメッセージを表示する機能も備えている。このように、１つのモニタに複数の機能を持たせることによって、モニタ（表札）の機能性が高まり、装置として利便性がよくなる。
【特許文献１】特開２００１−３２４９３４号（第３−６頁、第２図）
【発明の開示】
【発明が解決しようとする課題】
【０００３】
しかし、モニタを表札として使用した場合、メッセージ表示機能のみを付加した構成では充分にモニタを利用しているとは言い難く、メッセージ表示機能以外の機能を付加し、更なる利便性向上を図りたい要望があった。特に、玄関周り（扉周り）には各種機能用にインターホンや監視カメラ等の各種装置が取り付けられているが、これら装置が各々単独で存在すると、装置ごとに取付作業やメンテナンス等を行う必要が生じるので、玄関周りのシステム構成を簡素化した要望もあった。
【０００４】
本発明の目的は、表示手段を表札として使用した場合、表札表示機能以外に他の機能を持たせることで扉周りのシステム構成を簡素化することができる表札表示装置を提供することにある。
【課題を解決するための手段】
【０００５】
上記問題点を解決するために、請求項１に記載の発明では、住宅の屋外に設置された表示手段と、記憶手段に格納した表示データに基づき前記表示手段に表札を表示させる表示制御手段とを備えた表札表示装置において、屋内の住人と屋外の来訪者との間の連絡通話設備であるインターホンと、前記インターホンを動作させ得る操作が行われた際に、前記表示手段の画面を前記表札から切り換え、前記インターホンを作動状態にして該インターホンによる通話を実行可能な状態とする制御手段とを備えたことを要旨とする。
【０００６】
この発明によれば、表札表示装置がインターホン機能を兼ね備え、インターホンを動作させ得る操作が行われ、表示手段の画面が表札から切り換わると、制御手段によってインターホンが作動状態となり、インターホンによる通話が実行可能となる。従って、例えば表札表示装置とインターホン機能とが各々独立した装置として存在すると、その分だけ装置の取り付けやメンテナンス等が煩雑になるが、表札表示装置がインターホン機能を兼ねていれば、その共用化に伴い複数の機能を１つの装置に搭載することが可能となり、扉周りのシステム構成が簡素化する。
【０００７】
請求項２に記載の発明では、住宅の屋外に設置された表示手段と、記憶手段に格納した表示データに基づき前記表示手段に表札を表示させる表示制御手段とを備えた表札表示装置において、録音及び録画の少なくとも一方を実行可能な収録機構と、前記収録機構によりメッセージを入力する操作が行われた際に、前記表示手段の画面を前記表札から切り換え、前記収録機構を作動状態にして操作者のメッセージを収録する制御手段とを備えたことを要旨とする。
【０００８】
この発明によれば、表札表示装置がメッセージ収録機能を兼ね備え、収録機構によりメッセージを入力する操作が行われ、表示手段の画面が表札から切り換わると、制御手段によって収録機構が作動状態となり、操作者のメッセージ収録が行われる。従って、例えば表札表示装置とメッセージ収録機能とが各々独立した装置として存在すると、その分だけ装置の取り付けやメンテナンス等が煩雑になるが、表札表示装置がメッセージ収録機能を兼ねていれば、その共用化に伴い複数の機能を１つの装置に搭載することが可能となり、扉周りのシステム構成が簡素化する。
【０００９】
請求項３に記載の発明では、住宅の屋外に設置された表示手段と、記憶手段に格納した表示データに基づき前記表示手段に表札を表示させる表示制御手段とを備えた表札表示装置において、録音及び録画の少なくとも一方を実行可能な収録機構と、前記表示手段の画面を前記表札から他の画面に変えるべく最初の選択操作が行われた時点から、前記収録機構を作動状態にして操作者を監視する制御手段とを備えたことを要旨とする。
【００１０】
この発明によれば、表札表示装置が操作者収録機能を兼ね備え、表示手段の画面を表札からの他の画面に変え得る最初の選択操作が行われると、その時点から収録機構が制御手段によって作動状態となり、収録機構による操作者の監視が実行可能となる。従って、例えば表札表示装置と操作者監視収録機構とが各々独立した装置として存在すると、その分だけ装置の取り付けやメンテナンス等が煩雑になるが、表札表示装置が操作者監視機能を兼ねていれば、その共用化に伴い複数の機能を１つの装置に搭載することが可能となり、扉周りのシステム構成が簡素化する。
【００１１】
請求項４に記載の発明では、住宅の屋外に設置された表示手段と、記憶手段に格納した表示データに基づき前記表示手段に表札を表示させる表示制御手段とを備えた表札表示装置において、前記表札に代えて前記表示手段の画面に表示された暗証番号入力画面に暗証番号が入力された際、その暗証番号の認証を行う認証手段と、前記暗証番号が正しいと前記認証手段が判断した際に、前記住宅に設置された機器の動作を許可又は開始する制御手段とを備えたことを要旨とする。
【００１２】
この発明によれば、表札表示装置が暗証番号入力機能を兼ね備え、表札に代えて表示手段の画面に表示された暗証番号入力画面に暗証番号が入力された際、その暗証番号が正しいか否かが認証手段によって認証される。そして、暗証番号が正しいと認証手段が判断すると、制御手段は住宅に設置された機器の動作を許可又は開始する。従って、例えば表示手段と暗証番号入力機能とが各々独立した装置として存在すると、その分だけ装置の取り付けやメンテナンス等が煩雑になるが、表札表示装置が暗証番号入力機能を兼ねていれば、その共用化に伴い複数の機能を１つの装置に搭載することが可能となり、扉周りのシステム構成が簡素化する。
【００１３】
請求項５に記載の発明では、住宅の屋外に設置された表示手段と、記憶手段に格納した表示データに基づき前記表示手段に表札を表示させる表示制御手段とを備えた表札表示装置において、住宅への第三者の不正侵入を検出する検出手段と、前記住宅の扉を施解錠する電気錠と、住人が所有する電子キーとの間で無線通信による識別照合を行い、前記電子キーの識別コードが住宅側と一致すれば前記電気錠による施解錠を許可又は開始する照合手段と、前記検出手段の検出信号に基づき不正侵入の有無を判断する判断手段と、前記判断手段が不正侵入有りと判断した際に不正侵入の現場を撮影する撮影手段とを備え、前記表示制御手段は、前記照合手段による識別照合が成立した際に、前記判断手段が不正侵入有りと判断していれば、前記撮影手段で撮影した不正侵入の映像を、前記表札に代えて前記表示手段で放映することを要旨とする。
【００１４】
この発明によれば、盗難者等の第三者が住宅内に不正侵入すると、それを検出手段が検出し、その検出信号に基づき判断手段が不正侵入有りと判断する。判断手段が不正侵入有りと判断すると、その時点から撮影手段が不正侵入の現場を撮影する。そして、住人が帰宅して電子キーと住宅（扉）との識別照合が成立すると、判断手段が不正侵入有りと判断していれば、撮影手段が撮影した不正侵入の現場が表示手段で放映される。従って、住人が帰宅して電子キーと住宅（扉）との間で識別照合成立を条件に電気錠が解錠されても、表示手段に放映される不正侵入現場を見ることで住人は住宅内に盗難者等が不正侵入していると認識し、盗難者等がいる可能性のある住宅内に住人が不用意に入らずに済み、帰宅した住人のセキュリティ性が確保される。
【００１５】
また、例えば表札と不正侵入放映画面とで表示装置を別々に用意すると、その分だけ表示装置が増えて装置の取り付けやメンテナンス等が煩雑になる。しかし、表札表示装置が表札だけでなく、不正侵入現場放映画面も兼ねていれば、その共用化に伴い表示装置が１つで済むことになり、扉周りのシステム構成が簡素化する。
【発明の効果】
【００１６】
本発明によれば、表示手段を表札として使用した場合、表札表示機能以外に他の機能を持たせることで扉周りのシステム構成を簡素化することができる。
【発明を実施するための最良の形態】
【００１７】
以下、本発明を具体化した表札表示装置の一実施形態を図１〜図１４に従って説明する。
図１は、室外モニタ１の斜視図である。ＬＣＤ等からなる室外モニタ１は住宅２（図１１参照）の玄関先に取り付けられ、通常の場合には表示画面３に表札４（図３参照）が表示された状態をとり、使用状況に応じて各種画面が表示画面３に表示される。室外モニタ１は略箱形状のケース５を有し、その内部に各種デバイス（素子）が内蔵されている。室外モニタ１はタッチパネル式であり、表示画面３に触れる（表示画面３上の表示スイッチを押圧操作する）ことで室外モニタ１の各種操作が実行可能である。
【００１８】
室外モニタ１は、室外モニタ１の前方を撮影可能な内蔵カメラ６と、室外モニタ１に向けて発された音声を集音可能な室外マイク７と、室外モニタ１の前方に向けて音声を出力可能な室外スピーカ８とを備えている。内蔵カメラ６、室外マイク７及び室外スピーカ８はケース５の内部に収容されている。なお、室外モニタ１が表札表示装置に相当し、表示画面３が表示手段に相当する。また、内蔵カメラ６、室外マイク７及び室外スピーカ８が収録機構を構成する。
【００１９】
内蔵カメラ６はケース５の前面上部の開口孔５ａからレンズが露出した状態で配置され、室外モニタ１を操作した来訪者（操作者）を撮影可能である。室外マイク７はケース５の前面下部の複数の第１通し孔５ｂに対向する位置に配置され、室外モニタ１をインターホンとして使用した際に来訪者の音声を集音したり、内蔵カメラ６での録画中にメッセージを録音したりすることが可能である。また、室外スピーカ８はケース５の前面右側上部の複数の第２通し孔５ｃに対向する位置に配置され、来訪者に向けて音声を出力可能である。
【００２０】
図２は、表札表示システム９の電気構成を示す電気構成図である。表札表示システム９は、前述した室外モニタ１と、この室外モニタ１に配線コード（図示略）を介して接続された室内モニタ１０とを備えている。室内モニタ１０は例えばタッチパネル式であり、住宅２の室内に設置されている。室内モニタ１０は、室外モニタ１の内蔵カメラ６の録画映像や撮影映像を室内画面１１に表示したり、室外マイク７で集音した音声を室内スピーカ１２で出力したり、室外スピーカ８で発する音声を室内マイク１３で集音したりする。
【００２１】
室外モニタ１は、前述した表示画面３、内蔵カメラ６、室外マイク７及び室外スピーカ８の他に、室外モニタ１を統括的に制御するマイクロコンピュータ１４と、マイクロコンピュータ１４からの指令又は表示画面３のタッチパネル操作に基づき表示画面３を表示制御する表示コントローラ１５とを備えている。マイクロコンピュータ１４は、表示コントローラ１５を介して表示画面３を、入力回路１６を介して内蔵カメラ６を、駆動回路１７を介して室外マイク７を、増幅回路１８を介して室外スピーカ８を各々制御する。また、マイクロコンピュータ１４は入出力回路１９を介して室内モニタ１０とデータ通信が可能である。なお、マイクロコンピュータ１４が表示制御手段、制御手段及び認証手段を構成する。
【００２２】
マイクロコンピュータ１４は、各種制御を実行するＣＰＵ２０と、制御プログラムＰを記憶したＲＯＭ２１と、ＣＰＵ２０の動作時に作業領域として使用されるＲＡＭ２２と、表札データＤａを記憶したＥＥＰＲＯＭ２３を備えている。制御プログラムＰは室外モニタ１を動作させるプログラムであり、本例特有の機能としてインターホン機能、メッセージ収録機能、暗証番号入力機能、来訪者録画機能、録画映像再生機能等の各種機能を実行するためのプログラムである。ＣＰＵ２０はＲＯＭ２１の制御プログラムＰに基づき稼働し、上述した各種制御を実行する。なお、ＥＥＰＲＯＭ２３が記憶手段に相当する。
【００２３】
インターホン機能は、来訪者と住人とが室外モニタ１と室内モニタ１０とで通話を行う連絡通話設備の通話機能である。これを以下に説明すると、マイクロコンピュータ１４は通常の状態において表示画面３に図３に示す表札画面２４を常時表示している。住宅２に来訪者等が訪問して表札画面２４が触れられると、マイクロコンピュータ１４は図４に示す１次画面２５を表示画面３に表示する。１次画面２５はインターホンと暗証番号入力とを実行する画面である。なお、１次画面２５は所定時間（例えば６０秒）の間、タッチパネル操作がないと、表札画面２４に戻される。
【００２４】
１次画面２５の呼出スイッチ２６が操作されると、マイクロコンピュータ１４は呼出スイッチ２６がアクティブ状態となった図４に示す２次画面２７を表示し、住宅２内に呼鈴（図示略）を鳴らした状態にする。所定時間（例えば２０秒）内に住人が呼鈴に応答し、住人が室内モニタ１０で受話器を持ち上げる等の応答操作を行うと、マイクロコンピュータ１４は室外モニタ１の表示画面３を図６に示す通話中画面２８にする。このとき、室外モニタ１側では内蔵カメラ６、室外マイク７及び室外スピーカ８が稼働状態となり、室内モニタ１０側では室内スピーカ１２及び室内マイク１３が稼働状態となり、室外モニタ１は室内モニタ１０との間で各種データ（撮影データ、音声データ等）のやり取りを行って来訪者と住人との間で通話が可能となる。このとき、室内モニタ１０には室外モニタ１の内蔵カメラ６で撮影中の画像が室内画面１１に表示された状態となる。
【００２５】
マイクロコンピュータ１４は室内モニタ１０の受話器操作を逐次監視し、住人と来訪者の通話が終了して室内モニタ１０の受話器が下ろされると、インターホンによる通話を終了すべきと判断する。そして、マイクロコンピュータ１４は室外モニタ１の表示画面３を通話中画面２８（図６参照）から表札画面２４（図３参照）に復帰させるとともに、内蔵カメラ６、室外マイク７及び室外スピーカ８の動作を停止してインターホン機能を終了する。
【００２６】
また、メッセージ録音機能は、住人が留守中にメッセージ（伝言）を録画・録音する機能である。これを以下に説明すると、室外モニタ１の表示画面３に１次画面２５を表示して呼出スイッチ２６を押しても、所定時間（例えば３０秒）応答がなければ、マイクロコンピュータ１４は図７に示す３次画面２９を表示する。３次画面２９は、再呼出、暗証番号入力及びメッセージ入力を行う画面である。３次画面２９の再呼出スイッチ３０が操作されると、マイクロコンピュータ１４は表示画面３に２次画面２７を再表示し、住宅２内に呼鈴を鳴らして住人に来訪者有りの旨の通知を再実行する。なお、３次画面２９は所定時間（例えば６０秒）の間、タッチパネル操作がないと表札画面２４に戻される。
【００２７】
ここで、再呼出を何度も実行して住人が留守中であると判断すると、来訪者はメッセージを収録すべく３次画面２９のメッセージ入力スイッチ３１を操作する。メッセージ入力スイッチ３１が操作されると、マイクロコンピュータ１４は図８に示す収録画面３２を表示画面に表示し、メッセージ収録機能を作動させる。このとき、マイクロコンピュータ１４は内蔵カメラ６、室外マイク７及び室外スピーカ８を稼働状態とし、メッセージ入力中の映像を内蔵カメラ６で録画するとともに、メッセージ音声を室外マイク７で集音する。マイクロコンピュータ１４は、その録画映像及び録音音声からなる収録データＤｂをＲＡＭ２２に記憶する。そして、収録画面３２の終了スイッチ３３が押されると、マイクロコンピュータ１４はメッセージ収録機能を終了し、表示画面３を表札画面２４に復帰させる。
【００２８】
メッセージ録音を行った際、マイクロコンピュータ１４は例えばメッセージ録音開始日時等の履歴情報Ｄｃを室内モニタ１０に送信する。室内モニタ１０は、その履歴情報Ｄｃに基づき室内モニタ１０の室内画面１１にメッセージ収録履歴（図２参照）を一覧表示する。従って、住人は帰宅した際に室内モニタ１０のメッセージ録音履歴を見ることで来訪者があったことを認知することが可能であり、その履歴が室内画面１１で選択実行されると、室内モニタ１０はその履歴に対応した収録データＤｂをＲＡＭ２２から取り込み、室内画面１１でメッセージを再生する。
【００２９】
また、暗証番号入力機能は、室外モニタ１にタッチパネル操作で暗証番号を入力することによって、暗証番号が正しければ施錠状態の玄関ドア３４（図２参照）の電気錠３５を解錠する機能である。これを以下に説明すると、室外モニタ１のＥＥＰＲＯＭ２３には、室外モニタ固有の暗証番号データＤidが登録されている。この暗証番号データＤidは１つに限らず複数でもよく、表示画面３のタッチパネル操作によって暗証番号設定画面（図示略）を表示し、入力すべき暗証番号とともに、住人のみが知る個別コードを入力することで暗証番号設定が行われる。
【００３０】
図４、図５及び図７に示す１次〜３次画面２５，２７，２９で暗証入力スイッチ３６が操作された場合、マイクロコンピュータ１４は図９に示すテンキー画面３７を表示画面３に表示する。テンキー画面３７は暗証番号を入力する画面であり、０〜９までのテンキースイッチ３８と、暗証番号入力確定後に押される決定スイッチ３９と、テンキー画面３７を１次画面２５に戻す戻るスイッチ４０とを表示する。なお、テンキー画面３７は所定時間（例えば６０秒）の間、タッチパネル操作がないと、表札画面２４に戻される。なお、テンキー画面が暗証番号入力画面に相当する。
【００３１】
このテンキー画面３７でテンキースイッチ３８により暗証番号入力が行われ、番号入力後に決定スイッチ３９が操作されると、マイクロコンピュータ１４は自身（室外モニタ１）の暗証番号と入力暗証番号とを比較し、入力暗証番号が正しいか否かを判断する。マイクロコンピュータ１４は入力暗証番号が正しいと判断すれば、電気錠３５に向けて解錠指令信号Ｘａを出力する。電気錠３５は解錠指令信号Ｘａに基づき解錠状態となり、玄関ドア３４は開閉操作が可能な状態となる。
【００３２】
一方、入力暗証番号が間違っていると、マイクロコンピュータ１４は図１０に示す認証結果画面４１を表示画面３に表示する。マイクロコンピュータ１４は所定時間（例えば５秒）の間、この認証結果画面４１を表示画面３に表示し、所定時間経過後、テンキー画面３７を表示画面３に再表示して暗証番号の再入力を促す。ここで、暗証番号入力が所定回数（例えば３回）連続で間違った場合、マイクロコンピュータ１４は安全性の面から暗証宇番号入力機能を停止すべきと判断し、表示画面３を強制的に表札画面２４に復帰させることで暗証番号入力機能を強制的に終了する。そして、マイクロコンピュータ１４は、表示画面３を所定時間（例えば５分）の間、表札画面２４から遷移不可能な状態とする。
【００３３】
また、来訪者録画機能は、表示画面３で最初にスイッチ（例えば１次画面２５の呼出スイッチ２６や暗証入力スイッチ３６）が操作されてから、表示画面３が表札画面２４に戻るまで内蔵カメラ６による録画を行う機能である。これを以下に説明すると、表示画面３のスイッチを最初に触れたとき、つまり１次画面２５で呼出スイッチ２６又は暗証入力スイッチ３６が操作されると、マイクロコンピュータ１４は内蔵カメラ６による録画を開始する。マイクロコンピュータ１４はその録画データＤｄをＲＡＭ２２に記憶し、表示画面３が表札画面２４に復帰すると録画を終了する。
【００３４】
来訪者録画を行った際、マイクロコンピュータ１４はメッセージ録音機能と同様に、例えば来訪者録画開始日時等の履歴情報Ｄｃを室内モニタ１０に送信する。室内モニタ１０は、その履歴情報Ｄｃに基づき室内モニタ１０の室内画面１１に録画履歴（図示略）を一覧表示する。従って、住人は帰宅した際に室内モニタ１０の録画履歴を見ることで室外モニタ１にスイッチ操作があったことを認知することが可能であり、その履歴が室内モニタ１０で選択実行されると、室内モニタ１０はその履歴に対応した録画データＤｄをＲＡＭ２２から取り込み、室内画面１１上で録画映像を再生する。
【００３５】
ところで、メッセージ収録機能と来訪者録画機能との両方で内蔵カメラ６による録画が行われるが、この関連は以下の通りである。まず、３次画面２９でメッセージ入力スイッチ３１を操作してメッセージ収録機能を実行すると、内蔵カメラ６は録画モードが来訪者録画機能からメッセージ収録機能に切り換わり、収録画面３２の終了スイッチ３３が操作されるまで録画を行うモードとなる。このとき、メッセージ収録機能が動作する前までに取り込んだ録画データＤｄについてはＲＡＭ２２から消去される。
【００３６】
図１１は、セキュリティシステム４２の概略構成を示す構成図である。住宅２は、外出中に盗難者等の第三者が住宅２に不正侵入した場合に、その旨を帰宅した住人に通知して不用意に住人を住宅２内に入らせないセキュリティシステム４２を備えている。セキュリティシステム４２は、住人が所有する電子キー４３との間の無線通信に基づき玄関ドア３４の施解錠を制御するコントローラ４４と、コントローラ４４の指令に基づき電気的に駆動して玄関ドア３４を施錠状態又は解錠状態にする電気錠３５と、同システムのメイン制御を司る異常監視装置４５とを備えている。なお、コントローラ４４が照合手段に相当し、異常監視装置４５が判断手段に相当する。
【００３７】
コントローラ４４は玄関ドア３４に埋設され、電子キー４３との間で信号の送受信を行うアンテナ４４ａを備えている。コントローラ４４はアンテナ４４ａからリクエスト信号Ｓreを間欠的に出力し、リクエスト信号Ｓreに応答して電子キー４３から発信されるＩＤ信号Ｓidをアンテナ４４ａで受信すると、そのＩＤコードと自身のＩＤコードとを比較するＩＤ照合を行い、ＩＤ照合成立を条件に電気錠３５を施解錠することが可能である。また、電気錠３５はコントローラ４４から施錠指令を受けると、駆動モータによってデッドボルト（ともに図示略）が飛び出して施錠状態となり、コントローラ４４から解錠指令を受けると駆動モータによってデッドボルトが引き込まれて解錠状態となる。
【００３８】
異常監視装置４５は室内の壁等に取り付けられ、配線を介してコントローラ４４との間で通信が可能である。異常監視装置４５は押しボタン式の警戒モード設定スイッチ４５ａを有しており、このスイッチ４５ａが押された後、電子キー４３を所有する住人がアンテナ４４ａの通信エリア外に出て電気錠３５が施錠状態となると、セキュリティシステム４２の作動モードを解除モードから警戒モードに設定する。異常監視装置４５は、セキュリティシステム４２が警戒モードのときに作動状態となり、住宅２内への不正侵入の有無を逐次監視した状態となる。一方、セキュリティシステム４２が解除モードのときには、異常監視装置４５が非作動状態となって作動が停止した状態となる。
【００３９】
また、セキュリティシステム４２は、室外モニタ１の他に、住宅２内へ第三者が不正侵入したことを検出する検出センサ４６と、不正侵入の現場を撮影可能な監視カメラ４７とを備えている。検出センサ４６は異常監視装置４５との間で無線通信（電波通信）が可能であり、室外モニタ１及び監視カメラ４７は配線を介して異常監視装置４５に各々接続されている。なお、検出センサ４６が検出手段に相当し、監視カメラ４７が撮影手段に相当する。
【００４０】
検出センサ４６は、例えば窓ガラス４８の不正開閉を検出する扉開閉センサ４６ａや、室内へ人が入り込んだことを検出する赤外線センサ４６ｂ等があり、扉開閉センサ４６ａが窓ガラス４８に、赤外線センサ４６ｂが室内に各々設置されている。検出センサ４６はセンサ４６ａ，４６ｂ以外に、例えば窓ガラス４８の破損を検出するガラスセンサ、室内への人の入り込みを検出する赤外線ビームセンサ、熱を検出する熱センサ等がある。検出センサ４６はセンシング状態（センサがオン状態）となると、各検出センサ４６の固有アドレスを付した不正侵入検出信号Ｓａを外部に発信する。
【００４１】
監視カメラ４７は住宅２内への第三者の不正侵入を撮影可能な位置に配置され、異常監視装置４５によって駆動制御される。監視カメラ４７は各検出センサ４６と組をなして配置されており、本例においては扉開閉センサ４６ａ用として屋外に設置された監視カメラ４７ａと、赤外線センサ４６ｂ用として室内に設置された監視カメラ４７ｂとがある。監視カメラ４７は異常監視装置４５から撮影開始指令を受けると撮影を開始し、所定時間（例えば１分）の間、撮影を行って、その映像データＤｘを異常監視装置４５に出力する。
【００４２】
異常監視装置４５は、検出センサ４６から不正侵入検出信号Ｓａを受信すると不正侵入検出状態となり、住宅２に不正侵入があったと判断する。このとき、異常監視装置４５は不正侵入検出信号Ｓａに付された固有アドレスを参照して、不正侵入検出信号Ｓａがどの検出センサ４６から発信されたかを判断し、不正侵入検出信号Ｓａの発信先が分かると、その検出センサ４６と組をなす監視カメラ４７に撮影開始指令を出力して不正侵入の現場を撮影させる。例えば異常監視装置４５は、扉開閉センサ４６ａから不正侵入検出信号Ｓａを受信すれば監視カメラ４７ａに撮影を行わせ、赤外線センサ４６ｂから不正侵入検出信号Ｓａを受信すれば監視カメラ４７ｂに撮影を行わせる。
【００４３】
異常監視装置４５は、検出センサ４６から不正侵入検出信号Ｓａを受信すると、監視カメラ４７に撮影を開始させるのに同期してコントローラ４４に異常発生信号Ｓｂを出力し、住宅２へ不正侵入があったことをコントローラ４４へ通知する。コントローラ４４は異常発生信号Ｓｂを入力すると、自由に電気錠３５の施解錠を行えない制限状態となり、この制限状態においては電子キー４３とコントローラ４４との間でＩＤ照合が成立しても、施錠状態の電気錠３５が解錠されない状態となる。
【００４４】
ここで、録画映像再生機能は、住人が帰宅した際に、監視カメラ４７で撮影した録画映像を室外モニタ１で放映する機能である。これを以下に説明すると、室外モニタ１は異常監視装置４５によって駆動制御され、異常監視装置４５から受信する各種指令に基づき動作する。室外モニタ１は、セキュリティシステム４２の作動モードに関係なく常に稼働した状態をとり、通常状態であれば表示画面３に表札４を表示している。コントローラ４４は自身が制限状態で、かつ電気錠３５が施錠状態のときにＩＤ照合成立を認識すると、ＩＤ照合成立信号Ｓｃを異常監視装置４５に出力する。異常監視装置４５は、自身が不正侵入検出状態の際にコントローラ４４からＩＤ照合成立信号Ｓｃを入力すると、監視カメラ４７から取り込んだ映像データＤｘを室外モニタ１で放映すべく、再生開始信号Ｓｄを室外モニタ１に出力する。
【００４５】
異常監視装置４５は再生開始信号Ｓｄを室外モニタ１に出力することで、表札画面２４（図２参照）に代えて図１２に示す再生初期画面４９を室外モニタ１に表示させる。再生初期画面４９には、不正侵入を検出した検出センサ４６の一覧が表示されている。室外モニタ１は検出センサ４６の表示部５０が触れられることで、室外モニタ１で放映したい録画映像が選択可能である。この表示部５０が押されると、異常監視装置４５はその検出センサ４６の位置を同時表示した図１３に示す住宅２の簡易図５１を室外モニタ１に表示し、その後、選択した検出センサ４６に応じた映像データＤｘを室外モニタ１に送り、その表示画面３に不正侵入の映像を放映させる。
【００４６】
また、電子キー４３を所有しない住人が帰宅した場合には、室外モニタ１で暗証番号を入力して電気錠３５を解錠する。このとき、異常監視装置４５は室外モニタ１から解錠指令信号Ｘａを入力するが、自身が不正侵入検出状態であれば、電子キー４３を用いた場合と同様に、再生開始信号Ｓｄを室外モニタ１に出力する。従って、室外モニタ１には表札画面２４に代えて図１２に示す再生初期画面４９が表示され、不正侵入の録画映像が再生可能である。
【００４７】
室外モニタ１は、制限状態のコントローラ４４を通常状態に解除する押しボタン式の解除スイッチ１ａを備えている。解除スイッチ１ａが押されると、室外モニタ１は解除指令信号Ｓｅを異常監視装置４５に出力する。異常監視装置４５は室外モニタ１から解除指令信号Ｓｅを入力すると、コントローラ４４の制限状態を解除すべきと判断して、コントローラ４４に解除許可信号Ｓｆを出力する。コントローラ４４は、自身が制限状態で電気錠３５が施錠状態のときに解除許可信号Ｓｆを入力すると、その時点でＩＤ照合が成立していることを条件に電気錠３５を解錠する。
【００４８】
次に、本例の室外モニタ１の作用について説明する。
まず、住宅２に来訪者が訪れた場合を述べる。このとき、室外モニタ１の表示画面３が来訪者によって触れられると、表示画面３には図４に示す１次画面２５が表示される。そして、１次画面２５の呼出スイッチ２６が操作されると、表示画面３には図５に示す２次画面２７が表示されるとともに、住宅２内の呼鈴が鳴らされることで来訪のあることが住宅２内の住人に通知される。呼鈴に応答して住人が室内モニタ１０の受話器を持ち上げるとインターホン機能が動作し、来訪者と住人とが室外モニタ１と室内モニタ１０との間で通話が可能となる。
【００４９】
インターホン使用時、室外モニタ１には図６に示す通話中画面２８が表示され、一方の室内モニタ１０には内蔵カメラ６の撮影映像が放映される。そして、通話が終了して室内モニタ１０の受話器が下ろされると、室外モニタ１が表札画面２４に復帰する。なお、通話中画面２８から表札画面２４への復帰は、室内モニタ１０の受話器が下ろされたことを条件とすることに限らず、例えば室外モニタ１が通話中画面２８となってから所定時間（例えば６０秒）が経過したことを条件としてもよく、この場合には室外モニタ１の表示が切り換わるものの、インターホンは通話可能な状態が維持されるものとする。
【００５０】
１次画面２５で呼出スイッチ２６を操作して呼出を行っても応答がない場合には、図７に示す３次画面２９が室外モニタ１に表示され、その３次画面２９で再呼出スイッチ３０が操作されると、室外モニタ１が再び２次画面２７に切り換わって再呼出が実行される。このように再呼出を行っても住宅２内から応答がない場合には、室外モニタ１に３次画面２９が再表示された状態に戻り、再呼出を繰り返し行った場合には、室外モニタ１の表示が２次画面２７と３次画面２９で切り換わる動作が繰り返される。
【００５１】
再呼出を行っても応答がない留守中の場合、メッセージを残すべく３次画面２９のメッセージ入力スイッチ３１が来訪者によって操作されると、メッセージ収録機能が動作し、図８に示す収録画面３２が室外モニタ１に表示される。このとき、収録画面３２の終了スイッチ３３が操作されるまで内蔵カメラ６が録画動作を実行するとともに室外マイク７が集音動作を実行する状態となる。メッセージが来訪者から発せられると、メッセージが内蔵カメラ６及び室外マイク７で収録され、その収録データＤｂがＲＡＭ２２に記憶される。ここで、メッセージ収録の終了は、収録画面３２の終了スイッチ３３の操作を条件とすることに限らず、例えばメッセージ収録を強制終了すべく所定時間（例えば６０秒）が経過したことを条件としてもよい。メッセージ収録機能が終了すると、室外モニタ１の表示が表札画面２４に復帰する。
【００５２】
室外モニタ１でメッセージが収録されると、室内モニタ１０にはメッセージ収録履歴が表示される。従って、帰宅した住人は室内モニタ１０の履歴表示によって来訪者のあったことを認識可能となり、室内モニタ１０のメッセージ収録履歴を選択実行することでメッセージを確認することが可能である。室内モニタ１０でのメッセージ再生は、室内モニタ１０のタッチパネル操作に基づきメッセージ収録履歴の選択実行が行われ、その選択実行されたものに対応した収録データＤｂをＲＡＭ２２から取り込み、それを再生することで行われる。
【００５３】
室外モニタ１は、来訪者等が表示画面３上のスイッチを最初に触れた際に来訪者録画機能の動作を開始し、内蔵カメラ６で来訪者を録画する。この来訪者録画機能は、上述したメッセージ収録機能とは別機能であり、室外モニタ１でメッセージ収録を行わない来訪者を録画するための機能である。来訪者録画機能を設けておけば、メッセージ収録を行わなかった来訪者、例えば室外モニタ１を悪戯目的で操作した操作者についても録画することが可能となり、室外モニタ１の不正操作防止等に効果がある。
【００５４】
室外モニタ１のスイッチを最初に触れた際、つまり１次画面２５で呼出スイッチ２６又は暗証入力スイッチ３６が操作されると、内蔵カメラ６による録画が開始される。この録画は室外モニタ１の表示画面３が表札画面２４に戻るまで行われ、この録画データＤｄがＲＡＭ２２に記憶される。来訪者録画機能で内蔵カメラ６により録画が行われると、室内モニタ１０には録画履歴が表示される。従って、帰宅した住人は室内モニタ１０の履歴表示によって室外モニタ１にスイッチ操作があったことを認識可能となり、室内モニタ１０の録画履歴を選択実行することで録画映像を確認可能である。なお、録画履歴の再生はメッセージ履歴の再生の場合と同様である。
【００５５】
続いて、住人が住宅２に帰宅した場合を述べる。全住人が外出して住宅２を留守にするとき、住人が異常監視装置４５の警戒モード設定スイッチ４５ａを押し、セキュリティシステム４２を作動スタンバイ状態とする。スイッチ操作後に玄関ドア３４を開閉操作して住人が外出し、電子キー４３を有した住人がアンテナ４４ａの通信エリア外に出て電気錠３５が施錠状態となると、図１４に示すように異常監視装置４５はセキュリティシステム４２を警戒モードに設定し、住宅２への第三者の不正侵入を監視する。この状態では、異常監視装置４５が検出センサ４６からの信号を受信可能な状態となるとともに、監視カメラ４７が作動スタンバイ状態となる。
【００５６】
ここで、セキュリティシステム４２が不正侵入を検出していない状態で、電子キー４３を所有した住人が帰宅したとする。この場合、その住人がアンテナ４４ａの通信エリア内に入り込むと、コントローラ４４は電子キー４３との間でＩＤ照合を行う。ここで、コントローラ４４は通常状態（即ち、非制限状態）であるので、コントローラ４４と電子キー４３との間でＩＤ照合が成立すれば、電気錠３５が解錠される。従って、玄関ドア３４が解錠状態となり、住人は通常通り玄関ドア３４を開けて住宅２内に入室することが可能となる。
【００５７】
また、セキュリティシステム４２が不正侵入を検出していない状態で、電子キー４３を所有していない住人が帰宅したとする。この場合、住人は玄関先の室外モニタ１を表示操作し、暗証番号を入力すべく表示画面３に図９に示すテンキー画面３７を表示する。暗証番号が住人によってテンキー画面３７で入力された後に決定スイッチ３９が操作されると、入力暗証番号が正しいか否かがマイクロコンピュータ１４によって判断される。
【００５８】
住人であれば正しい暗証番号を知っているはずであるから、入力暗証番号は正しくなるはずであり、入力暗証番号が室外モニタ１側のそれと一致した場合、解錠指令信号Ｘａが室外モニタ１から異常監視装置４５に出力される。異常監視装置４５が解錠指令信号Ｘａを入力すると、それに応答して解除許可信号Ｓｆが異常監視装置４５からコントローラ４４に出力される。コントローラ４４は解除許可信号Ｓｆを入力すると、電気錠３５を解錠する。従って、玄関ドア３４が解錠状態となり、住人は玄関ドア３４を開けて住宅２内に入室することが可能となる。コントローラ４４は電気錠３５の解錠が完了すると、解錠が済んだ旨を示す解錠完了信号Ｓｇ（図１１参照）を異常監視装置４５に出力する。異常監視装置４５は解錠完了信号Ｓｇを入力すると、それに基づき警戒モードを解除し、セキュリティシステム４２の作動モードを解除モードに切り換える。
【００５９】
一方、セキュリティシステム４２が警戒モードの際、盗難者が住宅２への不正侵入を試みたとする。盗難者が窓ガラス４８を不正に開けて扉開閉センサ４６ａがこれを検出したとすると、図１４に示すように扉開閉センサ４６ａが不正侵入検出信号Ｓａを発信する。また、盗難者が住宅２内へ上がり込んで赤外線センサ４６ｂがこれを検出すると、赤外線センサ４６ｂも不正侵入検出信号Ｓａを発信する。なお、本例は扉開閉センサ４６ａ及び赤外線センサ４６ｂの両方がセンシング状態となり、不正侵入検出信号Ｓａを発信している。
【００６０】
異常監視装置４５は、不正侵入検出信号Ｓａを受信すると不正侵入検出状態となり、住宅２内に盗難者が不正侵入したと判断して監視カメラ４７に撮影開始指令を出力し、監視カメラ４７に侵入現場を撮影させる。そして、異常監視装置４５は監視カメラ４７が撮影した映像データＤｘ取り込み、それを内部のＲＡＭに保存する。なお、本例は扉開閉センサ４６ａ及び赤外線センサ４６ｂの両方で不正侵入を検出しているので、異常監視装置４５は監視カメラ４７ａ，４７ｂの両方に撮影開始指令を出力し、２つの監視カメラ４７ａ，４７ｂで不正侵入現場を撮影させる。
【００６１】
異常監視装置４５は不正侵入検出信号Ｓａを受信すると、監視カメラ４７での侵入現場撮影に同期して、コントローラ４４に異常発生信号Ｓｂを出力する。コントローラ４４は異常発生信号Ｓｂを入力すると、住宅２内に盗難者が不正侵入したと判断して、電気錠３５を自由に施解錠できない制限状態となる。この制限状態では、電気錠３５を施錠状態にして外出した後に、電子キー４３を所有した住人が帰宅して電子キー４３とコントローラ４４との間でＩＤ照合が成立したとしても、コントローラ４４は電気錠３５を施錠状態のまま維持し、解錠を行わない状態となる。
【００６２】
ここで、セキュリティシステム４２が不正侵入を検出した後に、電子キー４３を所有した住人が帰宅した場合、電子キー４３を所有した住人がアンテナ４４ａの通信エリア内に入り込むと、コントローラ４４は電子キー４３との間でＩＤ照合を行う。ここで、コントローラ４４は制限状態となっているので、コントローラ４４と電子キー４３との間でＩＤ照合が成立しても、電気錠３５は解錠されない。従って、住人は住宅２内に入れず、しかも電気錠３５が施錠されるはずにも拘らず解錠されないことから、住人は住宅２に盗難者が入ったと分かり、住宅２内へ不用意に入らなくなる。
【００６３】
コントローラ４４は制限状態でＩＤ照合が成立したとき、施錠状態の電気錠３５の解錠を許可しないとともに、異常監視装置４５にＩＤ照合成立信号Ｓｃを出力する。異常監視装置４５は不正侵入検出状態でＩＤ照合成立信号Ｓｃを入力すると、再生開始信号Ｓｄを室外モニタ１に出力する。室外モニタ１は、この再生開始信号Ｓｄを入力すると録画映像再生機能が動作した状態となり、表札画面２４に代えて再生初期画面４９（図１２参照）を室外モニタ１に表示する。本例のように扉開閉センサ４６ａ及び赤外線センサ４６ｂの両方で不正侵入を検出した場合には、これら２つのセンサ名が再生初期画面４９上に表示される。
【００６４】
そして、室外モニタ１に表示された各検出センサ４６の表示部５０のうち、放映したい映像の表示部５０を住人がタッチ操作すると、室外モニタ１で再生映像が選択される。すると、その検出センサ４６が住宅２の何処にあるかを示す簡易図５１（図１３参照）が室外モニタ１に再生され、この後、その検出センサ４６と組をなす監視カメラ４７で撮影した映像が室外モニタ１で再生される。従って、室外モニタ１で放映される映像を見ることで、住人は検出センサ４６の反応原因が何であるかを確認可能となり、住宅２のどの場所からどのように不正侵入されたかを認識することが可能となる。
【００６５】
一方、検出センサ４６が反応して監視カメラ４７での撮影が行われても、例えばボール等が窓ガラス４８に当たり、その揺れが原因で扉開閉センサ４６ａが反応したりするように、住宅２への不正侵入を原因とせずにセキュリティシステム４２が作動する場合がある。この場合、帰宅した住人が室外モニタ１の再生映像を見れば、不正侵入が原因ではなく電気錠３５が制限状態となっていることが分かるので、住人は室外モニタ１を確認して住宅２に異常がないと判断すれば、室外モニタ１の解除スイッチ１ａを押す。
【００６６】
すると、室外モニタ１は解除指令信号Ｓｅを異常監視装置４５に出力し、異常監視装置４５は室外モニタ１から解除指令信号Ｓｅを入力すると、セキュリティシステム４２の作動モードを解除モードに切り換えるとともに、コントローラ４４に解除許可信号Ｓｆを出力する。コントローラ４４は、自身が制限状態で電気錠３５が施錠状態のときに解除許可信号Ｓｆを入力すると、その時点で電子キー４３との間でＩＤ照合が成立しているか否かを判断し、ＩＤ照合が成立していれば電気錠３５を解錠する。従って、住人は住宅２内の安全を確認した後に電気錠３５錠して住宅２に入るので、住宅２内の安全を確認した上で住宅２内に入ることが可能となる。
【００６７】
また、セキュリティシステム４２が不正侵入を検出した後に、電子キー４３を所有していない住人が帰宅した場合、住人は玄関先の室外モニタ１を表示操作し、電気錠３５を解錠するために暗証番号を入力すべく、表示画面３に図９に示すテンキー画面３７を表示する。暗証番号が住人によってテンキー画面３７で入力された後に決定スイッチ３９が操作されると、入力暗証番号が正しいか否かがマイクロコンピュータ１４によって判断される。
【００６８】
暗証番号入力者が住人であれば暗証番号は正しくなるはずであり、入力暗証番号が室外モニタ１側のそれと一致した場合、解錠指令信号Ｘａが室外モニタ１から異常監視装置４５に出力される。異常監視装置４５が解錠指令信号Ｘａを入力すると、それに応答して解除許可信号Ｓｆが異常監視装置４５からコントローラ４４に出力される。ここで、コントローラ４４は制限状態となっている場合であれば、解除許可信号Ｓｆを入力しても電気錠３５を解錠しない。従って、住人は住宅２内に入れず、しかも電気錠３５が解錠されるにも拘らず解錠されないことから、住人は住宅２に盗難者が入ったと分かり、住宅２内へ不用意に入らなくなる。
【００６９】
さらに、異常監視装置４５は解錠指令信号Ｘａを入力した際、不正侵入検出状態であれば電子キー４３を用いたときと同様に再生開始信号Ｓｄを室外モニタ１に出力し、表札画面２４に代えて再生初期画面４９を室外モニタ１に表示させる。そして、電子キー４３を用いたときと同様に、再生したい録画映像が室外モニタ１で選択実行されると、その録画映像が室外モニタ１で再生される。従って、住人は室外モニタ１で暗証番号入力操作を行って入室する場合にも、住宅２のどの場所からどのように不正侵入が生じたかを確認することが可能である。
【００７０】
そして、録画映像確認後、住宅２内に異常がないと判断されれば、住人によって解除スイッチ１ａが押される。すると、異常監視装置４５は室外モニタ１から解除指令信号Ｓｅを入力し、これによりセキュリティシステム４２の作動モードを解除モードに切り換えるとともに、コントローラ４４に解除許可信号Ｓｆを出力して電気錠３５を解錠させる。従って、住人は暗証番号入力操作により住宅２内に入る場合であっても、室外モニタ１で監視カメラ４７の録画映像を確認した後に電気錠３５を解錠して住宅２内に入ることになり、住宅２内の安全を確認した上で住宅２内に入ることが可能となる。
【００７１】
本例では、通常状態において表札４として使用される室外モニタ１が、インターホン機能、メッセージ収録機能、暗証番号入力機能、来訪者録画機能及び録画映像再生機能等の各種機能用のモニタとして共用される。従って、室外モニタ１が多機能化に使用されるので、各機能ごとにモニタを用意する場合に比べてモニタ数を少なく抑えることが可能となり、玄関周り（玄関ドア４周り）のシステム構成の簡素化、モニタ配線の配線作業の簡素化、モニタに要するコスト低減化等の各効果が得られる。
【００７２】
上記実施形態の構成によれば、以下に記載の効果を得ることができる。
（１）室外モニタ１が表札表示機能、インターホン機能、メッセージ収録機能、暗証番号入力機能、来訪者録画機能及び録画映像再生機能等の各種機能用のモニタとして共用される。従って、室外モニタ１が多機能化することになり、各機能ごとにモニタを用意する場合に比べてモニタ数を少なく抑えることができ、玄関周り（玄関ドア４周り）のシステム構成の簡素化、モニタ配線の配線作業の簡素化、モニタに要するコスト低減化等の各効果を得ることができる。
【００７３】
（２）室外モニタ１をインターホンとして使用した場合、室外モニタ１の表示画面３には通話中画面２８が表示されるので、来訪者はインターホンによる通話が実行可能な状態であることを認識することができる。また、室外モニタ１でメッセージ収録機能を実行した場合にも、表示画面３に収録画面３２が表示されるので、来訪者はメッセージ収録中であることを認識することができる。
【００７４】
（３）室外モニタ１をインターホンとして使用した場合、インターホン通話が終了した際に室外モニタ１の表示画面３が表札画面２４に復帰するので、来訪者はインターホンが終了したことを認識することができる。
【００７５】
（４）室外モニタ１に来訪者録画機能を搭載したので、室外モニタ１のスイッチを最初に触れた時点から内蔵カメラ６による録画が行われる。従って、住人は室外モニタ１を操作した人を録画映像で確認することができ、悪戯目的等で室外モニタ１を操作した人物を特定することができる。また、来訪者録画機能の録画は室外モニタ１の表示画面３が表札画面２４に戻った時点で終了する。従って、表示画面３が表札画面２４に戻れば、その時点では室外モニタ１の前から人が居ない確率が高いことから、内蔵カメラ６による録画を好適なタイミングで終了することができる。
【００７６】
（５）室外モニタ１で暗証番号入力機能を実行したとき、暗証番号が正しくないと、その旨を示す認証結果画面４１が室外モニタ１に表示されるので、暗証番号が間違っていることを認識することができる。また、暗証番号の入力間違いが所定回数続くと、室外モニタ１の表示画面３が表札画面２４に強制的に戻り、所定時間の間、表示画面３が表札画面２４から遷移できない状態となる。従って、暗証番号を何度も間違えるのは不正侵入者が操作した可能性が高く、何度も暗証番号入力間違いをした際に表札画面２４から他の画面へ遷移できないようにすれば、暗証番号入力自体を禁止することになり、高いセキュリティ性を確保できる。
【００７７】
（６）セキュリティシステム４２が住宅２への不正侵入を検出した際には、施錠状態の電気錠３５の解錠に制限をかけ、電子キー４３のＩＤ照合が成立しても電気錠３５が解錠されない状態となる。従って、住人が玄関ドア３４を開けることができない状態となり、盗難者等の第三者が居る可能性のある住宅２内へ住人を不用意に入れずに済み、住人のセキュリティ性を確保することができる。また、セキュリティシステム４２が不正侵入を検出したときに監視カメラ４７で撮影した映像を、住人が帰宅したときに室外モニタ１で放映するので、不正侵入がどの場所でどのように行われたかを確認することができ、その後の盗難対処も迅速かつ正確に行うことができる。
【００７８】
（７）セキュリティシステム４２が不正侵入を検出した場合には、電気錠３５の解錠制限と、室外モニタ１での不正侵入現場の放映との両方を行うので、住宅２内に盗難者等がいる旨をより確実に住人に通知することができる。
【００７９】
（８）各検出センサ４６と組をなすように監視カメラ４７を設置し、複数の検出センサ４６が不正侵入を検出した場合には、各検出センサ４６に応じた不正侵入現場の映像を室外モニタ１で各々放映可能である。従って、住宅２の広範囲で不正侵入を監視することができ、セキュリティシステム４２のセキュリティ性を高めることができる。
【００８０】
（９）複数の検出センサ４６が不正侵入を検出し、複数の監視カメラ４７で不正侵入現場を撮影した場合、室外モニタ１をタッチパネル操作することで、室外モニタ１で放映する映像を選択可能としたので、室外モニタ１で放映する映像を住人は自由に選択することができる。
【００８１】
（１０）異常監視装置４５の警戒モード設定スイッチ４５ａが押されると、セキュリティシステム４２が解除モードから警戒モードに設定され、住宅２内への不正侵入を監視した状態となる。従って、住宅２内に住人が居る通常では、セキュリティシステム４２の作動モードを解除モードにしておけば、謝って住人を盗難者として検出してしまうような状況が生じ難くなり、システムとして使い勝手がよくなる。
【００８２】
（１１）施錠状態の電気錠３５が制限状態となっているとき、室外モニタ１の解除スイッチ１ａが押されると、電子キー４３のＩＤ照合成立を条件に電気錠３５が解錠され、セキュリティシステム４２が解除モードに戻る。従って、住人自らがセキュリティシステム４２をリセットすることができ、システムとして汎用性が高いものとなる。
【００８３】
なお、上記実施形態は前記構成に限らず、以下の態様に変更してもよい。
・  表札機能を有する室外モニタ１は、インターホン機能、メッセージ収録機能、暗証番号入力機能、来訪者録画機能及び録画映像再生機能の全機能を有する必要はなく、これら機能のうち少なくとも１機能を共用していればよい。
【００８４】
・  室外モニタ１をインターホンとして使用した場合、室外モニタ１には「通話中」という通話中画面２８が表示されることに限定されない。例えば、室内に撮影カメラを設置し、インターホン動作中にそのカメラで撮影する映像を室外モニタ１に流してもよい。
【００８５】
・  メッセージ収録機能は映像と音声との両方を収録することに限らず、例えば音声のみ収録してもよい。
・  メッセージ収録機能で収録したメッセージは、室内モニタ１０で再生することに限らず、例えば室外モニタ１で再生してもよい。
【００８６】
・  来訪者録画機能は、室外モニタ１で最初にスイッチ操作が行われてから録画を開始することに限定されず、例えば表札画面２４に触れて室外モニタ１を１次画面２５に切り換えた際に録画を開始してもよい。また、来訪者録画機能は録画のみを行うことに限定されず、録画と音声との両方を収録してもよい。
【００８７】
・  来訪者録画機能で収録した映像は、室内モニタ１０で再生することに限らず、例えば室外モニタ１で再生してもよい。
・  暗証番号入力機能で暗証番号入力により動作させる機器は、玄関ドア３４の電気錠３５に限らず、例えば玄関の門の電気錠、住宅２に隣接する車庫のシャッターのスイッチ等の他の機器でもよい。
【００８８】
・  暗証番号は数字に限らず、例えば文字や記号を用いてもよい。
・  不正侵入とみなし得る検出センサ４６の検出順を異常監視装置４５のＲＯＭ（記憶手段）に記憶しておき、検出センサ４６の検出順がその順序となったときに、不正侵入が発生したと異常監視装置４５が判断する構成としてもよい。例えば実施形態の場合であれば、扉開閉センサ４６ａ、赤外線センサ４６ｂの順でセンサが反応したときに、不正侵入が発生したと判断されてもよい。
【００８９】
・  不正侵入の通知は、室外モニタ１で録画映像を再生することに限らず、例えば室外スピーカ８で行ってもよい。このとき、反応した検出センサ４６に応じて通知音を変える必要があり、例えば扉開閉センサ４６ａで不正侵入を検出すれば「ピー」という通知音が鳴り、赤外線センサ４６ｂで不正侵入を検出すれば「ピッ」という通知音が鳴るようにする。
【００９０】
・  セキュリティシステム４２の警戒モードへの設定は、警戒モード設定スイッチ４５ａのスイッチ操作を条件とすることに限定されない。例えば、住人全てに電子キー４３を持たせ、コントローラ４４が電子キー４３と間の無線通信に基づき、全住人が外出したと判断したときに、セキュリティシステム４２を警戒モードに設定してもよい。
【００９１】
・  電子キー４３は玄関ドア３４に近づくと自動で施錠又は解錠が行われるキーに限らず、例えばキー本体に施錠ボタン及び解錠ボタンを設け、各ボタンを押して扉の施錠又は解錠を行う電波キーでもよい。また、電子キー４３にトランスポンダを搭載し、このトランスポンダを用いた通信形式を採用してもよい。
【００９２】
・  コントローラ４４の制限状態は、室外モニタ１の解除スイッチ１ａをスイッチ操作することで解除される構成に限らない。例えば、住人が帰宅して電子キー４３とコントローラ４４との間でＩＤ照合が成立した時点でタイマがセットされ、タイマがタイムアップしたときに制限状態が解除される構成としてもよい。
【００９３】
・  検出センサ４６は無線通信により異常監視装置４５と通信することに限らず、有線でもよい。
・  検出センサ４６と監視カメラ４７は各１つずつで組をなすことに限らず、例えば検出センサ４６が２つに対し監視カメラ４７が１つの組み合わせでもよい。
【００９４】
・  解除スイッチ１ａが押されるとコントローラ４４の制限状態が解除されるだけに限らず、室外モニタ１の放映途中で解除スイッチ１ａが押されると、室外モニタ１の映像が途中停止するようにしてもよい。
【００９５】
・  室外モニタ１はタッチパネル式に限らず、操作ボタンにより各種機能を実行するボタン式でもよい。この場合、操作ボタンとしては、インターホン機能用のボタン、メッセージ収録機能用のボタン、暗証番号入力機能用のテンキーボタン及び決定ボタン、録画映像再生機能用のボタン等が挙げられる。また、室外モニタ１はタッチパネルと操作ボタンとを併用するものでもよい。
【００９６】
次に、上記実施形態及び別例から把握できる技術的思想について以下に追記する。
（１）請求項１において、前記表示制御手段は、前記インターホンが作動状態の間、当該前記インターホンが作動状態である旨を前記表示データに基づき前記表示手段に表示する。
【００９７】
（２）前記技術的思想（１）において、前記制御手段は、前記インターホン機能の動作が終了した際、又は前記表示手段に操作が所定時間の間で加えられていないと判断した際、その旨を通知する指令を前記表示制御手段に送り、前記表示制御手段は、前記指令を受けると前記表示手段の画面を前記表札に復帰させる。
【００９８】
（３）請求項２において、前記表示制御手段は、前記収録機構が作動状態の間、当該収録機構が作動状態である旨を前記表示データに基づき前記表示手段に表示する。
（４）請求項２又は前記技術的思想（３）において、前記制御手段は、メッセージ収録を中止する画面操作が前記表示手段でなされると、前記収録機構による収録を停止するとともに、その旨を通知する指令を前記表示制御手段に送り、前記表示制御手段は、前記指令を受けると前記表示手段の画面を前記表札に復帰させる。
【００９９】
（５）請求項３において、前記制御手段は、前記表示手段の画面が前記表札に戻った際に、前記収録機構による収録を停止する。
（６）請求項４において、前記表示制御手段は、前記暗証番号が正しくないと前記認証手段が判断した際、前記認証番号が正しくない旨を前記表示手段に表示させる。
【０１００】
（７）請求項４又は前記技術的思想（６）において、前記表示制御手段は、前記暗証番号の入力間違いが所定回数続くと、前記表示手段の画面を強制的に前記表札に復帰させ、所定時間の間、その画面から他の画面へ遷移が不可能な状態にする。
【０１０１】
（８）前記照合手段による識別照合成立を条件に前記電気錠の解錠動作が許可状態となっても、前記判断手段が不正侵入有りと判断していれば、前記解錠動作を制限する第２制御手段を備えた。
【０１０２】
（９）請求項５又は前記技術的思想（８）において、前記表示制御手段が前記表示手段で不正侵入の映像を放映する際に、複数の前記検出手段で不正侵入を検出していれば、その中から放映すべきものを選択操作することが可能な選択手段を備えた。
【０１０３】
（１０）請求項５及び前記技術的思想（８），（９）のいずれかにおいて、不正侵入検出を行うセキュリティシステムの作動モードを、不正侵入監視状態である警戒モードに設定する設定手段を備え、前記判断手段は、前記作動モードが前記警戒モードに設定されたことを条件に、前記検出手段の検出信号に基づき不正侵入の有無を判断する。
【０１０４】
（１１）請求項５及び前記技術的思想（８）〜（１０）のいずれかにおいて、前記住人による操作に基づき、前記表示手段による不正侵入映像を停止することで、不正侵入を監視しない解除モードに前記作動モードを設定変更する解除手段を備えた。
【図面の簡単な説明】
【０１０５】
【図１】一実施形態における室外モニタの斜視図。
【図２】表札表示システムの電気構成を示す電気構成図。
【図３】室外モニタに表示される表札画面図。
【図４】室外モニタに表示される１次画面図。
【図５】室外モニタに表示される２次画面図。
【図６】室外モニタに表示される通話中画面図。
【図７】室外モニタに表示される３次画面図。
【図８】室外モニタに表示される収録画面図。
【図９】室外モニタに表示されるテンキー画面図。
【図１０】室外モニタに表示される認証画面図。
【図１１】セキュリティシステムの概略構成を示す構成図。
【図１２】室外モニタに表示される再生初期画面の画面図。
【図１３】室外モニタに表示される住宅の簡易図を表した画面図。
【図１４】セキュリティシステムが行う処理のシーケンスチャート。
【符号の説明】
【０１０６】
１…表札表示装置としての室外モニタ、２…住宅、３…表示手段としての表示画面、４…表札、６…収録機構を構成する内蔵カメラ、７…収録機構を構成する室外マイク、８…収録機構を構成する室外スピーカ、１４…表示制御手段、制御手段、認証手段を構成するマイクロコンピュータ、２３…記憶手段としてのＥＥＰＲＯＭ、３５…電気錠、３７…暗証番号入力画面としてのテンキー画面、４２…セキュリティシステム、４３…電子キー、４４…照合手段としてのコントローラ、４５…判断手段としての異常監視装置、４６…検出手段としての検出センサ、４７…撮影手段としての監視カメラ、Ｄａ…表示データ、Ｓａ…検出信号としての不正侵入検出信号。
【図１】
2006121442.tif 000003
【図２】
2006121442.tif 000004
【図３】
2006121442.tif 000005
【図４】
2006121442.tif 000006
【図５】
2006121442.tif 000007
【図６】
2006121442.tif 000008
【図７】
2006121442.tif 000009
【図８】
2006121442.tif 000010
【図９】
2006121442.tif 000011
【図１０】
2006121442.tif 000012
【図１１】
2006121442.tif 000013
【図１２】
2006121442.tif 000014
【図１３】
2006121442.tif 000015
【図１４】
2006121442.tif 000016